(57)【特許請求の範囲】
【請求項１】
所要間隔を置いて立設された対向する支柱部材の上端支持部で下方から支持される、貯水槽構成用のＬ型部材であって、該対向する支柱部材の内の何れか一方の上端支持部に載置されて立設状態とされ且つ該上端支持部に固定される垂直立壁部の下部に、先端部分が、該対向する支柱部材の他方の上端支持部で下方から支持され且つ該先端部分が該上端支持部に固定される水平スラブが突設されてなるＬ字状形態を呈する該Ｌ型部材を用いてなる貯水槽であり、
左右の立面の上下方向の中間部に、中間スラブの端部分を下方から支持する中間受部が設けられると共に、該左右の立面の上部には、上部スラブの端部分を下方から支持する上部受部が設けられてなる内壁支柱部材と、
前記貯水槽の内部側に位置する内側の立面の上下方向の中間部に、前記中間スラブの端部分を下方から支持する中間受部が設けられると共に、該内側の立面の上部には、前記上部スラブの端部分を下方から支持する上部受部が設けられてなる外壁支柱部材とを具えており、
前記内壁支柱部材は、その前後の立面としての継手面部相互を当接状態にして一列に並設されることにより内壁支柱部材列を構成でき、該内壁支柱部材列が左右方向に所要間隔で並設されることにより内壁支柱部材列並列体を構成でき、
又、前記外壁支柱部材は、前記内壁支柱部材列並列体を構成する両外側の内壁支柱部材列に沿って、且つ該内壁支柱部材列と所要間隔を置いて、前後の立面としての継手面部相互を当接状態にして並設されて外壁支柱部材列を構成できるものであり、
前記内壁支柱部材列の少なくとも一列を構成する内壁支柱部材の全部又はその一部、前記２列の外壁支柱部材列の少なくとも１列を構成する外壁支柱部材の全部又はその一部は、下支柱部材の上端支持部に上支柱部材が立設状態に連結されてなり、該下支柱部材の立面の上部には、前記中間スラブの端部分を下方から支持する前記中間受部が設けられると共に、前記上支柱部材の立面の上部には、前記上部スラブの端部分を下方から支持する前記上部受部が設けられてなり、
前記中間スラブが、略同一高さで対向する前記中間受部間に架設されることによって中間仕切り部が構成される如くなされており、又、前記上部スラブが、同一高さで対向する前記上部受部間に架設されることによって水槽頂板部が構成される如くなされており、
前記上支柱部材の所要のものと、これに隣接する前記中間スラブとが一体のＬ字状に連結されて前記Ｌ型部材とされていることを特徴とする貯水槽。
【発明の詳細な説明】
【技術分野】
【０００１】
本発明は、土圧に抵抗できる強度を有する貯水槽を構築できるのは元より、該貯水槽を施工性よくしかもより安全に構築可能とする貯蓄槽構成用のＬ型部材に関するものであり、該Ｌ型部材を用いる、貯水槽における枠組構造及び、該枠組構造を用いる貯水槽に関するものである。
【背景技術】
【０００２】
例えば地下に設置されて大量の雨水を一時的に貯留し得ると共に、その上部を公園や駐車場等の人工施設として利用可能となされた、中間仕切り部によって上下二分割された貯水槽の一例として、例えば特許文献１記載のものが提案されている。
【０００３】
該貯水槽ａは、図３７に示すように、側方に突出する載置部ｂを一体に有すると共に該載置部ｂの下方の所定位置にて側方に突出する中間載置部ｃを一体に有する柱状体ｄを該載置部ｂ及び該中間載置部ｃの突出方向と交差する方向に並列に地盤上に複数配設した複数の柱状体列ｅと、側方に突出する外枠載置部ｆを一体に有すると共に該外枠載置部ｆの下方の所定位置にて側方に突出する外枠中間載置部ｇを一体に有し、前記柱状体列ｅの外周を囲む外枠部ｈとを具えていた。又、互いに隣接する前記柱状体列ｅ，ｅの前記柱状体ｄの載置部ｂ，ｂ間、及び、前記柱状体列ｅの前記柱状体の載置部ｂと前記外枠部ｈの前記外枠載置部ｆとの間に夫々架設される頂版部ｊと、互いに隣接する前記柱状体列ｅ，ｅの前記柱状体ｄの前記中間載置部ｃ，ｃ間、及び、前記柱状体列ｅの前記柱状体の中間載置部ｃと前記外枠部ｈの前記外枠中間載置部ｇとの間に夫々架設された分割床版部ｋとを具えるものであった。
【０００４】
このように特許文献１記載の貯水槽ａは、前記柱状体列ｅを構成する柱状体ｄが、全体が一体に形成されると共に、前記柱状体列ｅの外周を囲む外枠部ｈも全体が一体に形成されていた。そして、前記分割床版部ｋが、互いに隣接する前記柱状体列ｅ，ｅの前記柱状体ｄ，ｄの中間載置部ｃ，ｃ間、及び、前記柱状体列ｅの前記柱状体ｄの中間載置部ｃと前記外枠部ｈの外枠中間載置部ｇとの間に架設されることによって中間仕切り部ｍを形成する構成を有していた。
【０００５】
かかることから、前記のようにして複数の柱状体列ｅ，ｅを構築した後に、前記分割床版部ｋを、互いに隣接する前記柱状体列ｅ，ｅの前記柱状体ｄ，ｄの中間載置部ｃ，ｃ間、及び、前記柱状体列ｅの前記柱状体ｄの中間載置部ｃと前記外枠部ｈの外枠中間載置部ｇとの間に架設せんとする場合、該分割床版部ｋを、隣り合う載置部ｂ，ｂ間及び隣り合う載置部ｂと外枠載置部ｆとの間を通して吊り下ろす必要があった。
【０００６】
その際、前記分割床版部ｋを、隣り合う前記載置部ｂ，ｂ間の狭い導入開放部ｎや、隣り合う前記載置部ｂと前記外枠載置部ｆ間の狭い導入開放部ｐを通して、柱状体列ｅ，ｅ間の上部空間部ｑや柱状体列ｅと外枠部ｈとの間の上部空間部ｓに吊り下ろさなければならないのであるが、該分割床版部ｋの長さが該導入開放部ｎ，ｐの開放幅よりも大きいために、前記分割床版部ｋを水平面内等で適宜回転させて吊り下ろさなければならなかった。
【０００７】
又、前記分割床版部ｋを前記空間部ｑ，ｓに吊り下ろした後も、該狭い空間部ｑ，ｓにおいて該分割床版部ｋを適宜水平面内等で回転させて所要に位置決めを行ない、該分割床版部ｋの両端部分ｔ，ｔを、隣り合う前記中間載置部ｃ，ｃに載置し、又、前記載置部ｃと前記外枠中間載置部ｇに載置しなければならず、該分割床版部ｋの架設作業に慎重さと多くの手間を要して施工能率が悪く施工コストの上昇を招く問題があった。
【先行技術文献】
【特許文献】
【０００８】
【特許文献１】特開２００７−２３６８７号公報
【発明の概要】
【発明が解決しようとする課題】
【０００９】
本発明は、前記従来の貯水槽の問題点に鑑みて開発されたものであり、中間仕切り部によって上下分割された貯水槽を構築するに際し、土圧に抵抗できる強度を有する貯水槽を構築できるのは元より、該貯水槽を施工性よくしかもより安全に構築可能とする、貯水槽構成用のＬ型部材の提供を課題とするものである。又本発明は、該Ｌ型部材を用いて、施工性よくしかもより安全に構築し得る、貯水槽における枠組構造に関するものである。更に本発明は、該枠組構造を用いて施工性よくしかもより安全に構築し得る貯水槽の提供を課題とするものである。
【課題を解決するための手段】
【００１０】
前記課題を解決するため、本発明は以下の手段を採用する。
本発明に係る貯水槽構成用のＬ型部材（以下Ｌ型部材という）は、所要間隔を置いて立設された対向する支柱部材の上端支持部で下方から支持される、貯水槽構成用のＬ型部材であって、該対向する支柱部材の内の何れか一方の上端支持部に載置されて立設状態とされ且つ該上端支持部に固定される垂直立壁部の下部に、先端部分が、該対向する支柱部材の他方の上端支持部で下方から支持され且つ該先端部分が、該上端支持部に固定される水平スラブが突設されてなるＬ字状形態を呈していることを特徴とするものである。
【００１１】
本発明に係る貯水槽における枠組構造は、所要間隔を置いて立設された対向する支柱部材の上端支持部は同一高さに設定され、該両上端支持部でＬ型部材が支持されており、該Ｌ型部材は、該対向する支柱部材の内の何れか一方の上端支持部に載置されて立設状態とされ且つ該上端支持部に固定される垂直立壁部の下部に、先端部分が、該対向する支柱部材の他方の上端支持部で下方から支持され且つ該先端部分が該上端支持部に固定される水平スラブが突設されてなるＬ字状形態を呈していることを特徴とするものである。
【００１２】
又、本発明に係る貯水槽は、支柱部材を、その継手面部相互を当接状態にして一列に並設して構成した支柱部材の列が所要間隔で並設されることにより支柱部材の並列体が構成されており、選択された隣り合う２列の支柱部材の列に関し、その全長に亘って又はその一部分において、対向する支柱部材の上端支持部は同一高さに設定され、該両上端支持部でＬ型部材が支持されており、該Ｌ型部材は、該対向する支柱部材の内の何れか一方の上端支持部に載置されて立設状態とされ且つ該上端支持部に固定される垂直立壁部の下部に、先端部分が、該対向する支柱部材の他方の上端支持部で下方から支持され且つ先端部分が該上端支持部に固定される水平スラブが突設されてなるＬ字状形態を呈していることを特徴とするものである。
【００１３】
本発明に係る貯水槽のより具体的な態様は、前記Ｌ型部材を用いてなる貯水槽であって、左右の立面の上下方向の中間部に、中間スラブの端部分を下方から支持する中間受部が設けられると共に、該左右の立面の上部には、上部スラブの端部分を下方から支持する上部受部が設けられてなる内壁支柱部材と、
前記貯水槽の内部側に位置する内側の立面の上下方向の中間部に、前記中間スラブの端部分を下方から支持する中間受部が設けられると共に、該内側の立面の上部には、前記上部スラブの端部分を下方から支持する上部受部が設けられてなる外壁支柱部材とを具えている。前記内壁支柱部材は、その前後の立面としての継手面部相互を当接状態にして一列に並設されることにより内壁支柱部材列を構成でき、該内壁支柱部材列が左右方向に所要間隔で並設されることにより内壁支柱部材列並列体を構成でき、又、前記外壁支柱部材は、前記内壁支柱部材列並列体を構成する両外側の内壁支柱部材列に沿って、且つ該内壁支柱部材列と所要間隔を置いて、前後の立面としての継手面部相互を当接状態にして並設されて外壁支柱部材列を構成できるものである。そして、前記内壁支柱部材列の少なくとも一列を構成する内壁支柱部材の全部又はその一部、前記２列の外壁支柱部材列の少なくとも一列を構成する外壁支柱部材の全部又はその一部は、下支柱部材の上端支持部に上支柱部材が立設状態に連結されてなり、該下支柱部材の立面の上部には、前記中間スラブの端部分を下方から支持する前記中間受部が設けられると共に、前記上支柱部材の立面の上部には、前記上部スラブの端部分を下方から支持する前記上部受部が設けられてなる。又、前記中間スラブが、同一高さで対向する前記中間受部間に架設されることによって中間仕切り部が構成される如くなされており、又、前記上部スラブが、同一高さで対向する前記上部受部間に架設されることによって水槽頂板部が構成される如くなされており、前記上支柱部材の所要のものと、これに隣接する前記中間スラブとが一体のＬ字状に連結されて前記Ｌ型部材とされていることを特徴とするものである。
【発明の効果】
【００１４】
本発明によるときは、土圧に抵抗できる強度を有する貯水槽を構築できるのは元より、該貯水槽を施工性よくしかもより安全に構築可能とする、貯水槽構成用のＬ型部材を提供できる。又本発明によるときは、該Ｌ型部材を用いて、施工性よくしかもより安全に構築し得る貯水槽における枠組構造を提供できる。更に本発明によるときは、該枠組構造を用いて施工性よくしかもより安全に構築し得る貯水槽を提供できる。
【図面の簡単な説明】
【００１５】
【図１】本発明に係る貯水槽を示す斜視図である。
【図２】その一部欠切斜視図である。
【図３】中間スラブを架設することによって形成した中間仕切り部の全体構成を示す斜視図である。
【図４】その平面図である。
【図５】貯水槽の縦断面図である。
【図６】貯水槽の横断面図である。
【図７】中間スラブの架設状態を示す正面図である。
【図８】内壁支柱部材の組立工程を説明する斜視図である。
【図９】内壁支柱部材を構成する上支柱部材をサポート装置で支持した状態を示す正面図である。
【図１０】内支柱部材による中間スラブ及び上部スラブの端部分の支持状態を示す断面図である。
【図１１】下支柱部材の中間受部で中間スラブの端部分を支持した状態を示す断面図である。
【図１２】外壁支柱部材を示す斜視図である。
【図１３】外壁支柱部材とこれに隣り合う内壁支柱部材間に中間スラブと上部スラブを架設した状態を示す断面図である。
【図１４】内壁支柱部材の並設によって形成された内壁支柱部材列並列体と、中間スラブの架設状態を示す部分斜視図である。
【図１５】内壁支柱部材の他の構成を説明する分解斜視図である。
【図１６】その部分断面図である。
【図１７】内壁支柱部材のその他の構成を示す分解斜視図である。
【図１８】その部分断面図である。
【図１９】内壁支柱部材のその他の構成を示す分解斜視図である。
【図２０】その部分断面図である。
【図２１】内壁支柱部材のその他の構成を、下支柱部材と上支柱部材との連結部分で示す断面図である。
【図２２】内壁支柱部材のその他の構成を、下支柱部材と上支柱部材との連結部分で示す断面図である。
【図２３】内壁支柱部材のその他の構成を、下支柱部材と上支柱部材との連結部分で示す断面図である。
【図２４】外壁支柱部材の他の構成を示す斜視図である。
【図２５】外壁支柱部材のその他の構成を示す斜視図である。
【図２６】Ｌ字部材を用いて貯水槽を構築する場合を示す部分斜視図である。
【図２７】その部分正面図である。
【図２８】その別態様を示す部分正面図である。
【図２９】その別態様を示す部分正面図である。
【図３０】その別態様を示す部分正面図である。
【図３１】Ｌ型部材とＵ型部材とを組み合わせて貯水槽を構築する場合を示す部分正面図である。
【図３２】その他の態様を示す部分正面図である。
【図３３】Ｌ型部材を２段積みして貯水槽を構築する場合を示す部分正面図である。
【図３４】貯水槽のその他の構成を示す断面図である。
【図３５】貯水槽のその他の構成を示す断面図である。
【図３６】貯水槽のその他の構成を示す断面図である。
【図３７】従来の上下二分割型貯水槽を示す断面図である。
【発明を実施するための形態】
【実施例１】
【００１６】
図１〜６において本発明に係る貯水槽１は、中間仕切り部２によって上下二分割されており、下支柱部材３の上端支持部５に上支柱部材６を立設状態に連結して構成されるプレキャストコンクリート製の内壁支柱部材７と、全体が一体に形成されたプレキャストコンクリート製の外壁支柱部材９と、該内壁支柱部材７と該外壁支柱部材９の上下方向の中間高さ位置に配設されて前記中間仕切り部２を構成するプレキャストコンクリート製の中間スラブ１０と、該内壁支柱部材７と該外壁支柱部材９の上端側位置で貯水槽頂板部１１を構成するプレキャストコンクリート製の上部スラブ１２とを具えている。
【００１７】
前記下支柱部材３は、図６〜１１に示すように、その左右の立面１３，１５の上部に、前記中間スラブ１０の端部分１６，１６を下方から支持する中間受部１７，１７が設けられると共に、前記上支柱部材６の左右の立面１９，２０の上部には、前記上部スラブ１２の端部分２１，２１を下方から支持する上部受部２２，２２が設けられている。
【００１８】
又、前記外壁支柱部材９は図６、図１２〜１３に示すように、全体が一体に形成されると共に、前記貯水槽の内部側に位置する内側の立面２３の上下方向の中間高さ位置には、前記中間スラブ１０の端部分１６を下方から支持する中間受部２５が設けられると共に、該内側の立面２３の上部には、前記上部スラブ１２の端部分２１を下方から支持する上部受部２６が設けられている。
【００１９】
そして前記内壁支柱部材７は、図２、図４、図１４に示すように、その前後の立面２７，２９としての継手面部３０，３０相互を当接状態にして１列に並設されることにより内壁支柱部材列３１を形成でき、該内壁支柱部材列３１が左右方向に所要間隔で並列されることにより内壁支柱部材列並列体３２を構成できる。又、前記外壁支柱部材９は、該内壁支柱部材列並列体３２を構成する両外側の内壁支柱部材列３１ａ，３１ａに沿って、且つ、該内壁支柱部材列３１ａ，３１ａと所要間隔を置いて、前後の立面３３，３３としての継手面部３５，３５相互を当接状態にして並設されることにより外壁支柱部材列３４を構成できる。本実施例においては、前記内壁支柱部材列並列体３２の外周の全体を囲むように該継手面部３５，３５相互を当接状態にして並設されることにより、図１〜４に示すように外壁囲枠体３６を構成できるようになされている。
【００２０】
又、前記中間スラブ１０が、図４、図７〜９に示すように、同一高さで対向する前記中間受部１７，１７間に、本実施例においてはその側部３７，３７相互を当接させて架設されると共に、図１３に示すように、同一高さにある前記中間受部１７と前記中間受部２５間に、本実施例においてはその側部３７，３７相互を当接させて架設されることによって前記中間仕切り部２が構成される如くなされている。
【００２１】
該中間仕切り部２は、より具体的には図４に示すように、前記内壁支柱部材列３１の延長方向の両端側の部分５３，５３においては、矩形板状を呈する前記中間スラブ１０ａを架設して構成されると共に、該両端側の部分間５５においては、前記延長方向で見た両側部分が内側に向けて欠切されることによって欠切開口部５６，５６が形成された中間スラブ１０ｂを架設して構成されている。そして、該延長方向で見て隣り合う該欠切開口部５６，５６の合致によって、貯水槽底部を目視観察するための開口部５７が形成されている。なお、該両端側の部分間５５に架設される中間スラブ１０ｂには、その中央部分等に円形孔や角形孔等の開口が設けられることもある。かかる開口や前記開口部５７は、貯水や空気の上下移動も可能とする。
【００２２】
そしてこのように、両端側の部分５３，５３においては矩形板状を呈する中間スラブ１０ａを配設しているため、前記延長方向の土圧に対する抵抗力の大きい上下二槽の貯水槽を構築できることとなる。なお、構造耐力上有害でない限り、該矩形板状の中間スラブ１０ａには、下の貯水部に水が流入する際の該下の貯水部内の空気をより円滑に上昇させる等の目的で、適宜小孔が設けられることがある。
【００２３】
そして、前記上部スラブ１２が、同一高さで対向する前記第１の上部受部２２，２２間に、側部３９，３９相互を当接させて架設されると共に、同一高さにある前記上部受部２２と前記上部受部２６間に、側部３９，３９相互を当接させて架設されることによって、図２に示す水槽頂板部４０が構成される如くなされている。
【００２４】
かかる構成を有する貯水槽１によるときは、前記外壁支柱部材９が一体に構成されているために、土圧に対する抵抗力が大なる貯水槽１を構築できるのは元より、上支柱部材６を立設するに先立って、図３に示すように広い作業スペースを確保して前記中間スラブ１０を障害なく所要に架設でき、これによって前記中間仕切り部２を容易に構成できることとなる。その後、前記上支柱部材６を下支柱部材３の上端に立設させるのであるが、この立設施工は、構成された該中間仕切り部２を足場にして能率良く容易に施工できることとなる。
【００２５】
図１０〜１１においては、上下方向に突出する連結筋４２を、上支柱部材６の下部に埋設したスリーブ４３に挿入し且つ該スリーブ４３内に無収縮モルタルやグラウト等の充填材４５を充填することによって、下支柱部材３の上端に上支柱部材６を立設状態に連結してなる内壁支柱部材７が示されている。又、図１０〜１１においては、垂直に植立された接合用ボルト４６を前記端部分１６，１６に設けた上下方向の貫通挿入孔４７に挿入した後、該貫通挿入孔４７に、前記と同様の充填材４５を充填することによって、該端部分１６，１６を前記第１の中間受部１７，１７に固定している。同様にして、前記端部分１６を前記外壁支柱部材９の中間受部２５に固定すると共に、前記端部分２１を前記上部受部２２，２６に固定している。
【００２６】
図７、図９において、符号４１は、立設状態の上支柱部材６を垂直状態で仮支持するためのサポート装置である。
【００２７】
図１５〜１６、図１７〜１８、図１９〜２０は、前記下支柱部材３の上端に上支柱部材６を立設状態にして内壁支柱部材７を構成するに際して用いる、該上支柱部材６の他の態様を示すものであり、左右の立面の１９，２０の下部の両側に側部支持部４９，４９が突設されている。
【００２８】
又図２１〜２３は、前記下支柱部材３の上端に上支柱部材６を立設状態にして内壁支柱部材７を構成するに際して、前記スリーブ４３を下支柱部材３の上部に設ける一方、上下方向に突出する連結鉄筋４２を上支柱部材６の下端に突設した場合を示しており、上支柱部材６の左右の立面１９，２０の下側部分に、側部支持片４９，４９が突設されている。
【００２９】
図２４は、前記貯水槽１のコーナ部分に配設される外壁支柱部材９を示すと共に、図２５は、前記内壁支柱部材列３１の両端部に連結される外壁支柱部材９を示している。
【００３０】
本発明に係る貯水槽１は、前記内壁支柱部材列並列体３２の延長方向で見た両端部分５０，５０（図３〜４）を、プレキャストコンクリート製や現場打ちコンクリート製の平板状の端面板で閉じることもある。更に、本発明に係る貯水槽１の、前記内壁支柱部材列並列体３２の延長方向で見た両端部分は施工現場の地形によっては、平面視で直線状ではなく段階状に形成されることもある。
【００３１】
図２６は、本発明に係るＬ型部材５１の一例を示すものであり、所要間隔を置いて立設された対向する支柱部材４，４（本実施例においては前記下支柱部材３，３）の上端支持部５，５で下方から支持されるＬ字状形態を呈し、プレキャストコンクリート製である。より具体的には、該対向する支柱部材４，４の内の何れか一方の支柱部材４ａの上端支持部５に載置されて立設状態とされ且つ該上端支持部５に固定される垂直立壁部８（本実施例においては上支柱部材６）の下部１８に、先端部分１４（本実施例においては端部分１６）が、該対向する支柱部材４，４の他方４ｂの上端支持部５で下方から支持され且つ該先端部分１４が該上端支持部５に固定される水平スラブ２４（本実施例においては中間スラブ１０）が突設されてなるＬ字状形態を呈している。該Ｌ型部材５１の前記下部１８と前記先端部分１４（端部分１６）を前記対向する上端支持部５，５に載置すれば、該Ｌ型部材５１を安定した立設状態で自立させることができる。
【００３２】
図２７〜３０は、前記Ｌ型部材５１の配置状態の一例を示すものであり、該Ｌ型部材５１は、前記内壁支柱部材列並列体３２を構成する少なくとも一列の内壁支柱部材列３１を構成するために用いることができる。又、前記２列の外壁支柱部材列３４，３４の双方又は一方を構成するために用いることができる。又、該内壁支柱部材列３１のみを構成するためや該外壁支柱部材列３４のみを構成するために用いられることもある。かかることから、内壁支柱部材列３１の全て及び２列の外壁支柱部材列３４，３４を、該Ｌ型部材５１を配設して構成できる他、全ての内壁支柱部材列３１及び２列の外壁支柱部材列３４，３４から選択された複数列を構成するために該Ｌ型部材を用いることができる。或いは、これらのうちの一列のみ（内壁支柱部材列３１又は外壁支柱部材列３４）を構成するために該Ｌ型部材５１を用いることができる。更には、該一列を構成する内側支柱部材３１の一部のみや外側支柱部材の一部のみに該Ｌ型部材５１を用いることもできる。
【００３３】
図３１〜３２は、前記Ｌ型部材５１とＵ型部材５２とを組み合わせて用いた場合を示すものであり、この場合は、独立した中間スラブ１０を一切用いることなく貯水槽１を構成できることとなる。
【００３４】
かかる構成を有するＬ型部材５１は、小形化できるために運搬が容易であり、又、前記のように上支柱部材６と前記中間スラブ１０を独立部材とする場合に比し、貯水槽の強度向上を図り得る。更に該Ｌ型部材５１は、前記の上支柱部材６と前記中間スラブ１０とを一体化してなるため、該Ｌ型部材５１を前記のように架設しさえすれば、上支柱部材６と中間スラブ１０の双方を位置決め設置できるため、該上支柱部材６と該中間スラブ１０を個別に位置決め設置する場合に比し、貯水槽の組立て施工能率の向上を達成できる。そして該Ｌ型部材５１を、両外壁支柱部材列３４，３４の内の一方のみを構成するために配設するときも、該Ｌ型部材５１を設置する前においては、その設置すべき部分の下部空間を、鉄筋等の資材置き場として有効活用できると共に、資材置き場として役目が終わった後は、前記と同様に、該Ｌ型部材５１を施工性よく設置できる。
【００３５】
かかる構成を有するＬ型部材５１は、例えば図３３に示すように複数段に積重されることもある。このように構成する場合は、貯水槽１を多槽に構築でき、貯水槽容積を増大させることができる。
【００３６】
その他、本発明に係る貯水槽１は、前記内壁支柱部材列３１及び外壁支柱部材列３４の少なくとも一列を構成する内壁支柱部材７の全部又はその一部、外壁支柱部材９の全部又はその一部のみを、前記下支柱部材３の上端に上支柱部材６を立設状態に連結した上下連結型支柱として構成できる。然して、この中には、外壁支柱部材列３４のみや内壁支柱部材列３１の所要数の列のみを前記上下連結型支柱を用いて構成するものが含まれることになる。
【００３７】
図３４はその一例を示すものであり、外壁支柱部材列３４は、全体が一体に構成された外壁支柱部材９を用いて構成する一方、内支柱並列体３２は、全体が一体に構成された内壁支柱部材７ａを一列に並設して構成された内壁支柱部材列３１ａと、前記上下連結型の内壁支柱部材７ｂを一列に並設して構成された内壁支柱部材列３１ｂを交互に所要間隔で並設して構成されている。このように構成する場合も、隣り合う内壁支柱部材列３１ａ，３１ａ間や該内壁支柱部材列３１ａと前記外壁支柱部材列３４との間には、上支柱部材６を立設する前において、広い作業スペースを形成できることになるため、中間スラブ１０の架設作業を容易化できる。
【００３８】
図３５は、他の例を示すものであり、前記内支柱並列体３２は、全体が一体に構成された内壁支柱部材７ａを一列に並設して構成された内壁支柱部材列３１ａのみを所要間隔で並設して構成されており、前記外壁支柱部材列３４を構成する前記外壁支柱部材９は、前記上下連結型に構成されている。この場合、図３６に示すように、該外壁支柱部材９を構成する前記下支柱部材３と中間スラブ１０とがＬ字状に一体化されることもある。このように構成する場合は、該一体化されたＬ字状部材６０によって、土圧に対する貯水槽１の強度向上を期待できる。
【００３９】
又、前記中間仕切り部２を、例えば図３〜４に示すように、前記内壁支柱部材列３１の延長方向の両端側の部分５３，５３においては、矩形板状を呈する前記中間スラブ１０ａを架設して構成すると共に、該両端側の部分間５５においては、前記延長方向で見た両側部分が内側に向けて欠切されることによって欠切開口部５６，５６が形成された中間スラブ１０ｂを架設して構成する場合は、該欠切開口部５６が形成された中間スラブ１０ｂが存する部分においては、前記内壁支柱部材７を構成する上支柱部材６を図７、図９に示すようにサポート装置４１で仮支持することが難しい。そのため、該中間スラブ１０ｂが存する場所では、全体が一体に構成された内壁支柱部材７ａを立設することとし、矩形板状を呈する前記中間スラブ１０ａが存する部分においては、上支柱部材６を図７、図９に示すようにサポート装置４１で仮支持することが容易であるため、この部分では、前記上下連結型の支柱からなる内壁支柱部材７ｂを立設することがある。
【００４０】
又、前記貯水槽１を構築する前記Ｌ型部材の所要のものには、その上支柱部材６や中間スラブ１０に適宜、図２６に一点鎖線で示すような連通開口５９が設けることがある。
【符号の説明】
【００４１】
１  貯水槽
２  中間仕切り部
３  下支柱部材
４  支柱部材
５  上端支持部
６  上支柱部材
７  内壁支柱部材
８  垂直立壁部
９  外壁支柱部材
１０  中間スラブ
１１  貯水槽頂板部
１２  上部スラブ
１３  左の立面
１４  先端部分
１５  右の立面
１６  中間スラブの端部分
１７  中間受部
１８  下部
１９  左の立面
２０  右の立面
２１  上部スラブの端部分
２２  上部受部
２３  内側の立面
２４  水平スラブ
２５  中間受部
２６  上部受部
２７  前の立面
２９  後の立面
３０  継手面部
３１  内壁支柱部材列
３２  内壁支柱部材列並列体
３３  立面
３４  外壁支柱部材列
３５  継手面部
３６  外壁囲枠体
４０  水槽頂板部
４２  連結筋
４３  スリーブ
４５  充填材
４６  接合用ボルト
４７  貫通挿入孔
４９  側部支持片
５１  Ｌ型部材
５３  中間仕切り部の両端側の部分
５５  両端側の部分間
５６  欠切開口部
５７  開口部
５９  連通開口
【図１】
0005938233.tif 000002
【図２】
0005938233.tif 000003
【図３】
0005938233.tif 000004
【図４】
0005938233.tif 000005
【図５】
0005938233.tif 000006
【図６】
0005938233.tif 000007
【図７】
0005938233.tif 000008
【図８】
0005938233.tif 000009
【図９】
0005938233.tif 000010
【図１０】
0005938233.tif 000011
【図１１】
0005938233.tif 000012
【図１２】
0005938233.tif 000013
【図１３】
0005938233.tif 000014
【図１４】
0005938233.tif 000015
【図１５】
0005938233.tif 000016
【図１６】
0005938233.tif 000017
【図１７】
0005938233.tif 000018
【図１８】
0005938233.tif 000019
【図１９】
0005938233.tif 000020
【図２０】
0005938233.tif 000021
【図２１】
0005938233.tif 000022
【図２２】
0005938233.tif 000023
【図２３】
0005938233.tif 000024
【図２４】
0005938233.tif 000025
【図２５】
0005938233.tif 000026
【図２６】
0005938233.tif 000027
【図２７】
0005938233.tif 000028
【図２８】
0005938233.tif 000029
【図２９】
0005938233.tif 000030
【図３０】
0005938233.tif 000031
【図３１】
0005938233.tif 000032
【図３２】
0005938233.tif 000033
【図３３】
0005938233.tif 000034
【図３４】
0005938233.tif 000035
【図３５】
0005938233.tif 000036
【図３６】
0005938233.tif 000037
【図３７】
0005938233.tif 000038